(57)【特許請求の範囲】
【請求項１】
タンク（３１）に貯えられた湯と給水管（５１）からの水とを混合して利用側に供給する給湯装置であって、
浴槽にお湯をためるための第１給湯ライン（８１）と、
前記浴槽以外の給湯接続口に延びる第２給湯ライン（８２）と、
前記タンク（３１）からの湯と前記給水管（５１）からの水とを混合して第１給湯ライン（８１）に流す第１混合弁（７１）と、
前記タンク（３１）からの湯と前記給水管（５１）からの水とを混合して第２給湯ライン（８２）に流す第２混合弁（７２）と、
前記第１給湯ライン（８１）に設置される開閉弁（６１）と、
前記開閉弁（６１）、前記第１混合弁（７１）及び前記第２混合弁（７２）を制御する制御部（４）と、
前記第１混合弁（７１）から出る湯の温度を検出する第１温度センサ（４１）と、
前記第２混合弁（７２）から出る湯の温度を検出する第２温度センサ（４２）と、
前記第２混合弁（７２）から出る湯の流量を検出する給湯流量センサ（４３）と、
前記タンク（３１）に貯められている湯の温度を検出するタンク温度センサ（４４）と、
を備え、
前記制御部（４）は、
前記浴槽に目標温度の湯を供給する湯張り制御において、前記第１混合弁（７１）の開度を前記目標温度の湯を供給するために必要な開度とは異なる初期開度にしてから前記開閉弁（６１）を開け、
前記第１混合弁（７１）の開度調節を前記第１温度センサ（４１）の検出温度に基づいて、前記第２混合弁（７２）の開度調節を前記第２温度センサ（４２）の検出温度に基づいて、フィードバックによって行い、
前記湯張り制御時、前記第１温度センサ（４１）の検出温度が前記目標温度に到達するように前記第１混合弁（７１）の開度調節を行うとともに、前記開度調節の周期を前記第２混合弁（７２）の開度調節の周期よりも遅くし、
前記第１混合弁（７１）から前記目標温度の湯を所定量供給した後、前記第１混合弁（７１）の開度を前記目標温度の湯を供給するために必要な開度とは異なる終期開度にしてから前記開閉弁（６１）を閉め、
さらに前記制御部（４）は、前記第１混合弁（７１）の前記初期開度および／または前記終期開度を、
前記給湯流量センサ（４３）の検出流量、
前記タンク温度センサ（４４）の検出温度、及び、
前記目標温度、
の少なくとも１つ以上に基づいて変更する、
給湯装置。
【請求項２】
前記制御部（４）は、前記第１混合弁（７１）から出る湯の温度が前記目標温度とは異なる終期目標温度に到達するように前記終期開度を調節し、
さらに前記制御部（４）は、所定時間が経過後、前記第１混合弁（７１）から出る湯の温度が前記終期目標温度に到達しない場合は、前記開閉弁（６１）を閉じる、
請求項１に記載の給湯装置。
【請求項３】
前記湯張り制御を開始および停止させる操作部と、前記湯張り制御が実行しているか否かを表示する表示部とを有する遠隔操作装置（５）をさらに備え、
前記制御部（４）は、前記遠隔操作装置（５）に前記湯張り制御を停止させる操作入力があったとき、前記湯張り制御を停止したことを前記遠隔操作装置（５）の前記表示部に表示させた後、前記第１混合弁（７１）の開度を前記終期開度にする、
請求項１に記載の給湯装置。
【発明の詳細な説明】
【技術分野】
【０００１】
本発明は、給湯装置に関し、特に、タンクに貯められた湯を混合弁にて水と混合して供給する給湯装置に関する。
【背景技術】
【０００２】
タンクに貯められた湯と給水管からの水とを混合して供給する給湯装置では、給湯使用中に風呂の湯はりが行なわれたとき、給湯にまわされる湯量若しくは水の量が瞬間的に変動するため、給湯温度が変動する。この現象を解消するために、例えば、特許文献１（特開２００９−１１５３９５号公報）に開示されている給湯装置では、お湯はり用の流量調整弁を設けて湯量若しくは水の量の変動を抑制している。
【発明の概要】
【発明が解決しようとする課題】
【０００３】
しかしながら、特許文献１に開示されている給湯装置では、流量調整弁を増設することになるので、コストアップとなる。
【０００４】
本発明の課題は、流量調整弁を増設することなく、既存のお湯はり混合弁を制御することによってお湯はり時の給湯温度の変動を抑制する給湯装置を提供することにある。
【課題を解決するための手段】
【０００５】
本発明の第１観点に係る給湯装置は、タンクに貯えられた湯と給水管からの水とを混合して利用側に供給する給湯装置であって、第１給湯ラインと、第２給湯ラインと、第１混合弁と、第２混合弁と、開閉弁と、制御部と、第１温度センサと、第２温度センサと、給湯流量センサと、タンク温度センサとを備えている。第１給湯ラインは、浴槽にお湯をためるための湯の通路である。第２給湯ラインは、浴槽以外の給湯接続口に延びる湯の通路である。第１混合弁は、タンクからの湯と給水管からの水とを混合して第１給湯ラインに流す。第２混合弁は、タンクからの湯と給水管からの水とを混合して第２給湯ラインに流す。開閉弁は、第１給湯ラインに設置されている。制御部は、開閉弁、第１混合弁、及び第２混合弁を制御する。また、制御部は、浴槽に目標温度の湯を供給する湯張り制御において、第１混合弁の開度を目標温度の湯を供給するために必要な開度とは異なる初期開度にしてから開閉弁を開ける。第１温度センサは、第１混合弁から出る湯の温度を検出する。第２温度センサは、第２混合弁から出る湯の温度を検出する。給湯流量センサは、第２混合弁から出る湯の流量を検出する。タンク温度センサは、タンクに貯められている湯の温度を検出する。ここで、制御部は、第１混合弁の開度調節を第１温度センサの検出温度に基づいて、第２混合弁の開度調節を第２温度センサの検出温度に基づいて、フィードバックによって行っている。また、制御部は、湯張り制御時、第１温度センサの検出温度が目標温度に到達するように第１混合弁の開度調節を行うとともに、開度調節の周期を第２混合弁の開度調節の周期よりも遅くしている。さらに、制御部が、第１混合弁から目標温度の湯を所定量供給した後、第１混合弁の開度を目標温度の湯を供給するために必要な開度とは異なる終期開度にしてから開閉弁を閉める。加えて、制御部は、第１混合弁の初期開度および／または終期開度を、給湯流量センサの検出流量、タンク温度センサの検出温度、及び目標温度の少なくとも１つ以上に基づいて変更する。
【０００６】
この給湯装置では、第１混合弁の開度を初期開度にして湯張りをすることによって、第１混合弁の開度が目標温度の湯を供給するために必要な開度のままで湯張りを開始するときに比べて、湯張りにまわされる湯量若しくは水の量が抑えられるので、給湯にまわされる湯量若しくは水の量が瞬間的に下がることは抑制され、給湯温度の変動も抑制される。
【０００７】
また、この給湯装置では、第１混合弁の開度が、初期開度から徐々に目標温度の湯を供給するために必要な開度へ近づくので、湯張りにまわされる湯量若しくは水の量も徐々に変化する。その結果、給湯にまわされる湯量若しくは水の量が瞬間的に変動することが抑制され、給湯温度の変動も抑制される。
【０００８】
一般に、湯張りが終了して、第１混合弁の開度を目標温度の湯を供給するために必要な開度のままで開閉弁が閉じられたとき、給湯にまわされる湯量若しくは水の量が瞬間的に変動するため、給湯温度が変動する。
【０００９】
しかし、この給湯装置では、第１混合弁の開度が終期開度になってから開閉弁を閉めることによって、第１混合弁の開度が目標温度の湯を供給するために必要な開度のままで開閉弁が閉じられたときに比べて、給湯にまわされる湯量若しくは水の量が瞬間的に変動することが回避されるので、給湯温度の変動が抑制される。
【００１０】
本発明の第２観点に係る給湯装置は、第１観点に係る給湯装置であって、制御部が、第１混合弁から出る湯の温度が目標温度とは異なる終期目標温度に到達するように終期開度を調節する。さらに、制御部は、所定時間が経過後、第１混合弁から出る湯の温度が終期目標温度に到達しない場合は、開閉弁を閉じる。
【００１１】
第１混合弁から出る湯の温度が終期目標温度に収束しないために湯張り制御が終了しない場合、目標温度とは異なる温度の湯が浴槽に継続して流れる。しかし、この給湯装置では、所定時間が経過後、第１混合弁から出る湯の温度が終期目標温度に到達しないときは開閉弁が閉じられるので、目標温度とは異なる温度の湯が浴槽に継続して流れることは回避される。
【００１２】
本発明の第３観点に係る給湯装置では、第１観点に係る給湯装置であって、遠隔操作装置をさらに備えている。遠隔操作装置は、操作部と表示部とを有している。操作部は、湯張り制御を開始および停止させる。表示部は、湯張り制御が実行しているか否かを表示する。また、制御部は、遠隔操作装置に湯張り制御を停止させる操作入力があったとき、湯張り制御を停止したことを遠隔操作装置の表示部に表示させた後、第１混合弁の開度を終期開度にする。
【００１３】
この給湯装置では、終期開度で継続しているからといって、遠隔操作装置から湯張り終了の指令を出したあとも湯張り表示を残したままにした場合、ユーザーが湯張り終了ができないと誤解する可能性があるので、それを防止するために、遠隔操作装置に湯張り制御を停止させる操作入力があったとき、湯張り制御が停止されたことを遠隔操作装置に表示させる。
【発明の効果】
【００１４】
本発明の第１観点に係る給湯装置では、第１混合弁の開度を初期開度にして湯張りをすることによって、第１混合弁の開度が目標温度の湯を供給するために必要な開度のままで湯張りを開始するときに比べて、湯張りにまわされる湯量若しくは水の量が抑えられるので、給湯にまわされる湯量若しくは水の量が瞬間的に下がることは抑制され、給湯温度の変動も抑制される。また、第１混合弁の開度が終期開度になってから開閉弁を閉めることによって、給湯にまわされる湯量若しくは水の量が瞬間的に変動することが抑制されるので、給湯温度の変動も抑制される。
【００１５】
本発明の第２観点に係る給湯装置では、所定時間が経過後、第１混合弁から出る湯の温度が終期目標温度に到達しないときは開閉弁が閉じられるので、目標温度とは異なる温度の湯が浴槽に継続して流れることは回避される。
【００１６】
本発明の第３観点に係る給湯装置では、ユーザーが湯張り終了ができないと誤解することが防止される。
【図面の簡単な説明】
【００１７】
【図１】本発明の一実施形態に係る給湯機の外観斜視図。
【図２】本発明の一実施形態に係る給湯機の概略構成図。
【図３】本発明の一実施形態に係る給湯機の貯湯装置と負荷とを連絡する配管の回路図。
【図４】お湯はり動作の制御フローチャート。
【図５Ａ】本発明の一実施形態に係る給湯装置において、お湯はり混合弁およびお湯はり電磁弁の動作に対するお湯はり温度と給湯温度の変化を示すグラフ。
【図５Ｂ】従来の給湯装置において、お湯はり混合弁およびお湯はり電磁弁の動作に対するお湯はり温度と給湯温度の変化を示すグラフ。
【発明を実施するための形態】
【００１８】
以下図面を参照しながら、本発明の実施形態について説明する。なお、以下の実施形態は、本発明の具体例であって、本発明の技術的範囲を限定するものではない。
【００１９】
（１）給湯装置１の全体構成
図１は、本発明の一実施形態に係る給湯機の外観斜視図である。図１おいて、給湯装置１は、ヒートポンプユニット（加熱手段）２と貯湯装置３とによって構成され、ヒートポンプユニット２のケーシング１２０内には、蒸気圧縮式の冷凍回路が収納され、貯湯装置３のケーシング１３０内には、タンク３１が収納されている。
【００２０】
ヒートポンプユニット２と貯湯装置３とは、水が流通できるように往き管３６及び戻り管３７によって連絡されている。タンク３１の水は、往き管３６を通ってヒートポンプユニット２へ進入する。ヒートポンプユニット２で加熱された水は、戻り管３７を通ってタンク３１に戻る。
【００２１】
ヒートポンプユニット２と往き管３６との接続部には、水側空気抜き栓２７ａが設けれ、ヒートポンプユニット２と戻り管３７との接続部には、湯側空気抜き栓２７ｂが設けられている。便宜上、水側空気抜き栓２７ａ及び湯側空気抜き栓２７ｂを総称して空気抜き栓２７と呼ぶ。空気抜き栓２７は、タンク３１が空状態から満水状態になったとき、タンク３１及び配管に進入した空気を抜くために使用される。
【００２２】
貯湯装置３の下部には、三方弁３８の操作レバー３８ａと排水口４０が設けられている。図１を正面から視て、作業者が操作レバー３８ａを右側へ向けることによって、タンク３１内の水が排水口４０へ向う。作業者が操作レバー３８ａを左側へ向けることによって、タンク３１内の水が往き管３６へ向う。そして、作業者が操作レバー３８ａを真下に向けることによって、タンク３１内の水は、往き管３６及び排水口４０のどちらへも向わない状態になる。
【００２３】
貯湯装置３の上部には、逃し弁７５の操作レバー７５ａが設けられている。作業者はタンク３１内に水を給水するときは、操作レバー７５ａを上に向けて、逃し弁７５を開状態とする。タンク３１内が満水になり、タンク３１から溢れた水は、逃し弁７５を通って排水口４０へ流れる。
【００２４】
（２）詳細構成
（２−１）ヒートポンプユニット２
図２は、本発明の一実施形態に係る給湯機の概略構成図である。図２において、ヒートポンプユニット２は、マフラー２１ａ、圧縮機２１、水熱交換器２２内の冷媒管２２ａ、減圧手段としての膨張弁２３、及び空気熱交換器２４が、冷媒配管２５によって環状に接続された蒸気圧縮式の冷凍回路２０を有する。
【００２５】
また、冷凍回路２０には、水熱交換器２２から出る高圧高温の冷媒と、空気熱交換器２４から出る低圧低温の冷媒との間で熱交換を行うため、液ガス熱交換器２６が配置されている。具体的には、水熱交換器２２と膨張弁２３とを連結する冷媒通路と、空気熱交換器２４と圧縮機２１とを連結する冷媒通路との間で熱交換が行われる。
【００２６】
制御部４は、ヒートポンプユニット２と貯湯装置３を運転制御する。
【００２７】
（２−２）貯湯装置３
図２に示すように、貯湯装置３は、タンク３１、水熱交換器２２内の水管２２ｂ及び水循環ポンプ３２が、環状に接続された水循環回路３０を有する。
【００２８】
図３は、本発明の一実施形態に係る給湯機の貯湯装置と負荷とを連絡する配管の回路図である。なお、ここで述べる負荷とは、給湯と風呂を指す。図３において、湯循環配管７３は、タンク３１の頭部と底部を連絡しており、途中には追焚熱交換器７８と循環ポンプ７９が接続されている。
【００２９】
また、湯循環配管７３は、タンク３１の頭部とお湯はり混合弁７１および逃し弁７５とを連絡している。具体的には、湯循環配管７３は第１給湯分岐管７３ａ及び第２給湯分岐管７３ｂを有しており、第１給湯分岐管７３ａが湯循環配管７３とお湯はり混合弁７１とを連絡し、第２給湯分岐管７３ｂが湯循環配管７３と逃し弁７５を連絡している。
【００３０】
給湯配管７４は、タンク３１の頭部と給湯混合弁７２とを連絡している。
【００３１】
給水管５１は、水供給源とお湯はり混合弁７１及び給湯混合弁７２とを連絡している。具体的には、給水管５１は第１給水分岐管５１ａ、第２給水分岐管５１ｂ及び第３給水分岐管５１ｃを有しており、第１給水分岐管５１ａが給水管５１とお湯はり混合弁７１とを連絡し、第２給水分岐管５１ｂが給水管５１と給湯混合弁７２とを連絡し、第３給水分岐管５１ｃが給水管５１とタンク３１の底部とを連絡している。
【００３２】
また、第１給水分岐管５１ａ、第２給水分岐管５１ｂ及び第３給水分岐管５１ｃの上流には減圧逆止弁７６が接続されている。さらに、第３給水分岐管５１ｃと給水管５１との接続部近傍には水温センサ４６が設けられており、水温センサ４６がタンク３１から温度影響を受けないように配慮されている。
【００３３】
第１給湯管８１は、お湯はり混合弁７１と風呂水循環配管９４とを連絡しており、途中に複合水弁８４が配置されている。複合水弁８４は、お湯はり電磁弁６１と、排水弁６４と、お湯はり水量センサ４５とで構成されている。
【００３４】
風呂水循環配管９４は、浴槽９１から出て浴槽９１に戻り、途中に風呂水循環ポンプ９３が接続されている。なお、追焚熱交換器７８において、風呂水循環配管９４と湯循環配管７３との間で熱交換が行われる。
【００３５】
第２給湯管８２は、給湯混合弁７２と蛇口９２とを連絡し、途中に給湯流量センサ４３が配置されている。
【００３６】
共通管３５及び排水管３９とは、タンク３１の底部と排水口４０とを連絡している。共通管３５と排水管３９とは、三方弁３８を介して接続されている。つまり、共通管３５は三方弁３８の入口Ａに接続され、排水管３９は三方弁３８の出口Ｂに接続されている。
【００３７】
また、共通管３５及び往き管３６は、タンク３１の底部とヒートポンプユニット２とを連絡している。共通管３５と往き管３６とは、三方弁３８を介して接続されている。つまり、往き管３６は三方弁３８の出口Ｃに接続されている。
【００３８】
戻り管３７は、ヒートポンプユニット２とタンク３１の底部とを連絡している。戻り管３７の途中には、戻り三方弁５２が設けられている。戻り三方弁５２は、制御部４によって制御される。戻り分岐管３７ａは、戻り三方弁５２とタンク３１の頭部とを連絡している。制御部４は、戻り三方弁５２を介して戻り管３７内の水をタンク３１の頭部へ流す。
【００３９】
タンク３１の側壁には、頭部から底部へ向かい一定間隔をおいて残湯量検知手段としてのタンク温度センサ４４ａ〜４４ｅが設けられている。タンク３１の各高さ位置の湯温をタンク温度センサ４４ａ〜４４ｅで検知することによって湯の温度と残湯量が算出される。なお、タンク温度センサ４４ａ〜４４ｅを総称してタンク温度センサ４４とよぶ。
【００４０】
（３）風呂のお湯はり
風呂のお湯はりは、給湯装置の主要機能である。ここで言う、お湯はりとは、お湯はり以外に、高温たし湯、たし湯、さし水など、お湯はり混合弁７１を介して風呂（浴槽）に目標温度の湯を供給する機能全般を指しており、以後、お湯はり、高温たし湯、たし湯、及びさし水のいずれかの機能を行う制御を「お湯はり制御」とよぶ。
【００４１】
一般に、１つのタンクに貯えられた湯が、蛇口（又はシャワー）への給湯および風呂のお湯はりの両方に常に使用されるときには問題はないが、両者の一方に湯が使用されているときに他方にも湯が使用されたとき、或いは、両者に湯が使用されているときにいずれか一方の湯の使用が中止されたときには、お湯はり混合弁７１或いは給湯混合弁７２の開度が急に開いたり閉じたりするので、両者のどちらか一方だけに使用されるときに比べて制御のバランスが崩れ易い。
【００４２】
上記のような場合、浴槽に供給される湯の温度が変動してもユーザーは気にならないが、蛇口またはシャワー（以後、蛇口等とよぶ）の湯温が変動したときにはユーザーは湯温の変動を直に感じるので、不快になる。
【００４３】
したがって、蛇口等に給湯しているときに、お湯はりの要求があった場合でも、蛇口等への給湯温度が変動するような事態は回避されるべきである。
【００４４】
そこで、本実施形態では、ユーザーからのお湯はり要求があった場合でも、お湯はり混合弁７１の開度を、蛇口等から出る湯の温度に変動を与えない開度、つまり、お湯はり混合弁７１の開度を直ぐに目標温度のお湯を出すための開度にするのではなく、お湯はり混合弁７１の開度を目標温度とは異なる温度のお湯若しくは水を供給するための開度となるように制御されている。
【００４５】
（３−１）お湯はり動作
（３−１−１）お湯はり要求があるとき
図４は、お湯はり動作の制御フローチャートである。以下、図４の制御フローチャートの各ステップに沿ってお湯はり動作の制御について説明する。制御部４は、ステップＳ１において、ユーザーからお湯はり要求があるか否かを判定し、お湯はり要求があると判定したときはステップＳ２へ進み、お湯はり混合弁７１の初期開度を決定する。さらに、制御部４は、ステップＳ３へ進み、そこでお湯はり混合弁７１の目標開度をステップＳ２で決定された初期開度に設定する。
【００４６】
お湯はり制御において、お湯はり混合弁７１の初期開度は、目標温度の湯を供給するために必要な開度とは異なる開度である。但し、初期開度は、蛇口等に供給している湯の量が少ないときと、多いときとで区別されており、少ないときの初期開度は、多いときの初期開度よりも大きい。なお、蛇口等に供給している湯の量は、給湯混合弁７２から出る湯の流量であるので、第２給湯管８２に設置された給湯流量センサ４３によって検出される。
【００４７】
また、ユーザーが、お湯はり、高温たし湯、たし湯、及びさし水のいずれかの機能を要求したとき、機能によっては、お湯はり混合弁７１から供給される湯の目標温度も変わるので、初期開度は目標温度に基づいても変更される。
【００４８】
また、ユーザーが、お湯はり、高温たし湯、及びたし湯のいずれかの機能を要求したとき、そのときのタンク３１内の湯の沸き具合によっても初期開度は変更される。なお、タンク３１内の湯温はタンク温度センサ４４ａ〜４４ｅによって検出される。
【００４９】
もちろん、初期開度は、給湯流量センサ４３の検出流量、タンク温度センサ４４ａ〜４４ｅの検出温度、及び、目標温度の少なくとも１つ以上に基づいて変更されてもよいし、初期開度が一定値に固定されてもよい。
【００５０】
次に、制御部４は、ステップＳ４において、お湯はり混合弁７１が目標の初期開度に到達したか否かを判定し、目標の初期開度に達したと判定したときはステップＳ５に進み、そこでお湯はり電磁弁６１を開く。さらに、制御部４は、ステップＳ６に進み、そこでお湯はり混合弁７１から出る湯の温度が目標温度に追従するようにフィードバック制御する。なお、お湯はり混合弁７１から出る湯の温度は第１温度センサ４１で検出されている。
【００５１】
また、制御部４は、給湯混合弁７２の開度調節を第２温度センサ４２の検出温度に基づいて、フィードバック制御によって行っている。第２温度センサ４２は、給湯混合弁７２から出る湯の温度を検出するセンサであり、第２給湯管８２に配置されている。
【００５２】
さらに、制御部４は、お湯はり混合弁７１の開度調節を行うときの開度調節の周期を給湯混合弁７２の開度調節の周期よりも０．５秒程度遅くしており、お湯はり混合弁７１の開度が初期開度から、徐々に、目標温度の湯を供給するために必要な開度へ近づくので、お湯はりにまわされる湯量若しくは水の量も徐々に変化する。その結果、給湯にまわされる湯量若しくは水の量が瞬間的に変動することが抑制され、給湯温度の変動も抑制される。
【００５３】
（３−１−２）お湯はり要求がないとき
次に、制御部４は、ステップＳ７において、お湯はり要求がなくなったか否かを判定し、お湯はり要求がないと判定したときには、ステップＳ８へ進み、お湯はり目標温度を終期目標温度に設定する。お湯はり混合弁７１の動作としては、目標開度を終期開度に設定する。但し、終期開度は、初期開度の求め方とは異なり、制御部４が、お湯はり混合弁７１から出る湯の温度（以後、お湯はり温度とよぶ）が目標温度とは異なる終期目標温度（例えば、２０°Ｃ）に到達するように開度を調節した結果として得られる。
【００５４】
したがって、ステップＳ９において、制御部は、お湯はり温度が終期目標温度になるようにお湯はり混合弁７１をフィードバック制御する。同時に、ステップＳ１０において、制御部４は、フィードバック制御の開始からの経過時間（以後、フィードバック制御時間とよぶ）を計時する。
【００５５】
なお、お湯はり要求なしとは、お湯はり、高温たし湯、たし湯、及びさし水のいずれかの機能が働いているとき、その働いている機能が実質的に終了したこと、或いは、ユーザーからリモコン５を介して、その働いている機能を停止させる操作があったことを意味する。
【００５６】
リモコン５は、お湯はり、高温たし湯、たし湯、及びさし水の機能を停止させるための操作部（図示せず）と、お湯はり、高温たし湯、たし湯、及びさし水の機能が働いているか否かを表示する表示部（図示せず）とを有している。
【００５７】
制御部４は、お湯はり、高温たし湯、たし湯、及びさし水のいずれかの機能が働いているときに、リモコン５を操作部を介してその機能を停止させる操作入力があった場合、その機能を停止したことをリモコン５の表示部に表示させ、その後、お湯はり混合弁７１の開度を、お湯はり温度が終期目標温度に到達するように調節する。
【００５８】
なぜなら、リモコン５の操作部から中止指令を出したあとも終期開度になるまで継続するからといって、お湯はりなどの表示を残したままにした場合、ユーザーがお湯はりなどを終了させることができないと誤解する可能性があり、それを防止するためである。
【００５９】
次に、制御部４は、ステップＳ１１において、お湯はり温度が終期目標温度に到達したか否かを判定し、お湯はり温度が終期目標温度に到達したと判定したときはステップＳ１２へ進み、お湯はり電磁弁６１を閉じる。
【００６０】
また、制御部４は、ステップＳ１１において、お湯はり温度が終期目標温度に到達していないと判定したときはステップＳ１１１へ進み、フィードバック制御時間が所定時間を経過したか否かを判定し、フィードバック制御時間が所定時間を経過したと判定したときは、お湯はり電磁弁６１を閉じる。
【００６１】
また、制御部４は、ステップＳ１１１において、フィードバック制御時間が所定時間を経過していないと判定したときは、引き続きフィードバック制御時間の計時の続行と監視を行う。
【００６２】
制御部４がステップＳ１１１でフィードバック制御時間が所定時間を経過したか否かを判定する理由は、お湯はり温度が終期目標温度に収束しないためにお湯はり制御が終了しない場合、目標温度とは異なる温度の湯が浴槽に継続して流れることを回避するためである。本実施形態では、所定時間が経過後、お湯はり温度が終期目標温度に到達しないときはお湯はり電磁弁６１が閉じられるので、目標温度とは異なる温度の湯が浴槽に継続して流れることは回避される。
【００６３】
（４）初期開度および終期開度を導入することの効果の確認
図５Ａは、本発明の一実施形態に係る給湯装置において、お湯はり混合弁およびお湯はり電磁弁の動作に対するお湯はり温度と給湯温度の変化を示すグラフである。また、図５Ｂは、従来の給湯装置において、お湯はり混合弁およびお湯はり電磁弁の動作に対するお湯はり温度と給湯温度の変化を示すグラフである。
【００６４】
図５Ａおいて、本実施形態では、お湯はり混合弁７１の開度調節に初期開度および終期開度を導入しているので、例えば、ある時点でリモコン５から制御部４にお湯はり要求があったとき、制御部４は、ｔ１時間かけてお湯はり混合弁７１の開度を初期開度にする。
【００６５】
お湯はり混合弁７１の開度が初期開度になった時点で、制御部４は、お湯はり電磁弁６１を開ける。このとき、給湯温度の変動は、お湯はり混合弁７１の開度が目標温度の湯を供給するために必要な開度のままでお湯はりが開始されるとき（図５Ｂ参照）に比べて、給湯温度の変動が抑制されている。
【００６６】
その後、制御部４は、お湯はりが終了するまで、或いは、ユーザーがリモコン５で強制的にお湯はりを停止するまでお湯はり混合弁７１から目標温度の湯を供給させる。
【００６７】
お湯はり電磁弁６１が開いてからｔ２時間経過して、お湯はり要求がなくなったとき、制御部４は、お湯はり温度を目標温度よりも低い終期目標温度になるように、お湯はり混合弁７１の開度を調節する。ｔ３時間経過後、お湯はり温度が終期目標温度となったとき制御部４はお湯はり混合弁７１の開度が終期開度になった判定し、お湯はり電磁弁６１を閉じる。このとき、給湯温度の変動は、お湯はり混合弁７１の開度が目標温度の湯を供給するために必要な開度のままでお湯はり電磁弁６１が閉じられるとき（図５Ｂ参照）に比べて、給湯温度の変動が抑制されている。なお、ｔ３時間が所定時間に達しても、お湯はり温度が終期目標温度にならないとき、制御部４は強制的にお湯はり電磁弁６１を閉じる。
【００６８】
それに対し、図５Ｂにおいて、従来の給湯装置では、お湯はり混合弁７１の開度調節に初期開度および終期開度を導入していないので、お湯はり要求があったとき、お湯はり混合弁７１の開度は直ちに目標開度と到達するように制御され、目標開度に到達したときお湯はり電磁弁６１が開く。お湯はり電磁弁６１が開くと同時に目標温度に達したお湯が浴槽に供給され、この直後、給湯温度が激しく変動している。
【００６９】
また、お湯はり要求がなくなったときも、お湯はり電磁弁６１が直ちに閉じ、この直後に給湯温度が激しく変動している。
【００７０】
以上のように、本実施形態の給湯装置１のように、初期開度および終期開度を導入することの効果は格別である。
【００７１】
（５）特徴
（５−１）
給湯装置１では、お湯はり混合弁７１の開度を初期開度にしてお湯はりをすることによって、お湯はり混合弁７１の開度が、目標温度の湯を供給するために必要な開度のままでお湯はりを開始するときに比べて、給湯温度の変動が抑制される。なお、制御部４は、初期開度を、給湯流量センサ４３の検出流量、タンク温度センサ４４の検出温度、及び目標温度の少なくとも１つ以上に基づいて変更する。
【００７２】
（５−２）
給湯装置１では、制御部４は、お湯はり混合弁７１の開度調節の周期を給湯混合弁７２の開度調節の周期よりも遅くしている。お湯はり混合弁７１の開度は、初期開度から徐々に目標温度の湯を供給するために必要な開度へ近づくので、給湯にまわされる湯量若しくは水の量が瞬間的に変動することが抑制される。
【００７３】
（５−３）
給湯装置１では、お湯はり混合弁７１の開度が終期開度になってからお湯はり電磁弁６１を閉めることによって、給湯にまわされる湯量若しくは水の量が瞬間的に変動することが抑制されるので、給湯温度の変動も抑制される。なお、制御部は、終期開度を、給湯流量センサ４３の検出流量、タンク温度センサ４４の検出温度、及び目標温度の少なくとも１つ以上に基づいて変更する。
【００７４】
（５−４）
給湯装置１では、お湯はり混合弁７１から出る湯の温度が終期目標温度に収束しない場合、所定時間が経過後、お湯はり混合弁７１から出る湯の温度が終期目標温度に到達しないときはお湯はり電磁弁６１が閉じられるので、目標温度とは異なる温度の湯が浴槽に継続して流れることは回避される。
【００７５】
（５−５）
給湯装置１では、リモコン５にお湯はり制御を停止させる操作入力があったとき、お湯はり制御が停止されたことをリモコン５に表示させ、ユーザーがお湯はりの終了ができないと誤解すること防止している。
【００７６】
（６）変形例
実施形態では、制御部４は、お湯はり混合弁７１の開度調節の周期を給湯混合弁７２の開度調節の周期よりも遅くすることによって、給湯にまわされる湯量若しくは水の量が瞬間的に変動することを抑制しているが、制御方法はそれだけに限定されない。
【００７７】
例えば、制御部４が、お湯はり混合弁７１の開度調節のフィードバックゲインを給湯混合弁７２の開度調節時のフィードバックゲインよりも弱くする、という制御方法でも、給湯温度の変動を抑制することができる。
【産業上の利用可能性】
【００７８】
以上のように、本発明によれば、お湯はり開始による給湯温度の変動が抑制されるので、１つのタンクに貯えられたお湯を混合弁で水と混合して供給する給湯装置に有用である。
【符号の説明】
【００７９】
１  給湯装置
４  制御部
５  リモコン（遠隔操作装置）
３１  タンク
４１  第１温度センサ
４２  第２温度センサ
４３  給湯流量センサ
４４  タンク温度センサ
４４ａ，４４ｂ，４４ｃ，４４ｄ，４４ｅ  タンク温度センサ
５１  給水管
６１  お湯はり電磁弁（開閉弁）
７１  お湯はり混合弁（第１混合弁）
７２  給湯混合弁（第２混合弁）
８１  第１給湯管（第１給湯ライン）
８２  第２給湯管（第２給湯ライン）
【先行技術文献】
【特許文献】
【００８０】
【特許文献１】特開２００９−１１５３９５号公報
【図１】
0005387560.tif 000002
【図２】
0005387560.tif 000003
【図３】
0005387560.tif 000004
【図４】
0005387560.tif 000005
【図５Ａ】
0005387560.tif 000006
【図５Ｂ】
0005387560.tif 000007